(57)【要約】【課題】遠隔地の状況の変化に応じて適切な標示を行う。【解決手段】この道路情報通信システムは、遠隔地に配置された標示器８９とＰＣ１１とセンタサーバ３１とを備える。センタサーバ３１は、ＰＣ１１よりインターネット２を通じて受信されたログイン情報でユーザ認証を行い、標示指示のための画面をＰＣ１１へ送信する。センタサーバ３１は、ＰＣ１１によって所望の標示器８９の標示を指示するための接続要求が行われた場合、予め登録された該当標示器８９が接続されている通信ユニット８１の接続情報にて携帯電話網６とのコネクションを確立する。コネクションを確立後、センタサーバ３１は、ＴＣＰソケット通信により携帯電話網６および通信ユニット８１を通じて所望の標示内容を指定するＣＨ．番号を該当標示器８９へ送信することで標示器８９へ標示する。【選択図】図１
2006285948.tif 000002
【特許請求の範囲】
【請求項１】
遠隔地の道路に設置され、現地において情報を取得または出力する現地機器と、前記現地機器と通信を行うサーバコンピュータと、前記サーバコンピュータにネットワークを介してアクセスし、前記現地機器に対して情報を取得または出力するための指示を行うクライアント端末とを備えた道路情報通信システムにおいて、
前記クライアント端末は、
前記サーバコンピュータに蓄積されている現地の情報を前記ネットワークを通じて閲覧するための手段と、
前記現地機器へ出力する出力情報の指定またはキー入力を受け付け前記サーバコンピュータへ送信する手段とを備え、
前記現地機器は、
現地の情報を取得する現地情報取得手段、および受け取った出力情報を出力する情報出力手段のうちの少なくとも１つの手段と、
前記現地情報取得手段が存在する場合、イベントの発生によって携帯電話網と無線通信でコネクションを確立して前記現地情報取得手段により取得された現地情報を前記携帯電話網を通じて前記サーバコンピュータへ送信する手段と、
前記情報出力手段が存在する場合、前記クライアント端末からの指示またはキー入力によって前記サーバコンピュータより前記携帯電話網を通じて受信された出力情報を前記情報出力手段へ送出する手段とを備え、
前記サーバコンピュータは、
前記クライアント端末により、前記現地機器へ出力する出力情報が前記ネットワークを介して指定またはキー入力された場合、前記携帯電話網とコネクションを確立して前記出力情報を前記携帯電話網を介して前記現地機器へ送信する手段と、
前記現地機器より受信された現地情報を、前記クライアント端末より閲覧可能に蓄積する手段と
を具備したことを特徴とする道路情報通信システム。
【請求項２】
遠隔地の道路に配置された標示手段と、この標示手段に対して標示データの標示を指示するクライアント端末と、このクライアント端末にネットワークを介して接続されたサーバコンピュータとを備えた道路情報通信システムにおいて、
前記サーバコンピュータは、
前記標示手段と無線通信を行う携帯電話網との間でコネクションを確立するための接続情報と、標示データを標示可能な少なくとも１つの標示器の識別情報と標示器に標示する標示データを指定するための標示データ識別情報とを記憶する記憶手段と、
前記クライアント端末により、前記記憶手段に記憶されている識別情報の中で所望の標示器の識別情報と標示データ識別情報とが指定された場合、前記記憶手段に記憶されている接続情報を用いて前記携帯電話網との間でコネクションを確立する手段と、
前記携帯電話網とのコネクションが確立した場合、前記標示データ識別情報を含むパケットを前記携帯電話網を通じて該当標示手段へ送信する手段とを備え、
前記標示手段は、
前記携帯電話網との無線通信を行う無線通信手段と、
入力された標示データを標示するＬＥＤ標示部と、
前記ＬＥＤ標示部に標示する少なくとも一つの標示データと標示データを識別するための標示データ識別情報とを対応させて記憶した記憶手段と、
前記無線通信手段と前記携帯電話網との無線通信により前記サーバコンピュータより受信されたパケットに含まれる標示データ識別情報に基づいて前記記憶手段に記憶されている該当標示データを読み出して前記ＬＥＤ標示部へ出力する標示制御手段と
を具備したことを特徴とする道路情報通信システム。
【請求項３】
遠隔地の道路に配置された標示器に対してメッセージの標示を指示するクライアント端末とこのクライアント端末に対して標示器にメッセージを標示するための情報を公開するサーバコンピュータとがネットワークに接続された道路情報通信システムにおいて、
ポートに前記標示器が接続され、携帯電話網の無線基地局と無線通信する通信ユニットを備え、
前記サーバコンピュータは、
前記標示器が接続された通信ユニットが前記携帯電話網との間でコネクションを確立するための接続情報と、前記標示器に標示する少なくとも一つの標示データを指定するための標示データ識別情報と、前記クライアント端末がサーバコンピュータにアクセスするためのアクセス情報とを記憶する記憶手段と、
前記クライアント端末よりネットワークを通じて受信されたアクセス情報と、前記記憶手段に記憶されているアクセス情報とに基づいてユーザ認証を行うユーザ認証手段と、
前記ユーザ認証手段によりアクセス可能なユーザとして認証された場合、所望の標示器と標示データ識別情報の指定を促す手段と、
前記クライアント端末より所望の標示器と標示データ識別情報が指定された場合、所望の標示器が接続された該当通信ユニットと通信するために前記携帯電話網との間にコネクションを確立する手段と、
前記携帯電話網とのコネクションが確立した場合、前記標示データ識別情報を含む通信パケットを前記携帯電話網を通じて無線通信で該当通信ユニットへ送信し、通信パケットに含まれる標示データ識別情報を前記ポートより該当標示器へ出力させる手段とを備え、
前記標示器は、
前記メッセージを標示するＬＥＤ標示部と、
前記ＬＥＤ標示部に標示する少なくとも一つの標示データを標示データ識別情報と対応させて記憶した記憶手段と、
前記通信ユニットのポートより入力された標示データ識別情報を用いて前記記憶手段に記憶されている該当標示データを読み出して前記ＬＥＤ標示部へ出力する標示制御手段と
を具備したことを特徴とする道路情報通信システム。
【請求項４】
請求項３記載の道路情報通信システムにおいて、
前記通信ユニットの入力ポートに接続され、前記標示器が設置されている現地の状況を撮影する撮影手段と、
前記撮影手段により撮影された現地の画像情報を、所定のタイミングで携帯電話網を通じてサーバコンピュータへ送信する手段と、
前記携帯電話網を通じて受信された画像情報を、前記サーバコンピュータがユーザ認証したクライアント端末へ閲覧可能に公開する現地情報公開手段と
を具備したことを特徴とする道路情報通信システム。
【請求項５】
請求項３または４いずれか記載の道路情報通信システムにおいて、
前記通信ユニットは、
前記携帯電話網と無線接続するための接続情報が予め設定されており、所定のタイミングで接続情報を用いて携帯電話網へ無線通信でアクセスし、前記標示器または撮像手段からの情報を送信すると共に、前記携帯電話網の通信パケットと標示器へのデータまたは撮像手段からの通信パケットとの相互変換を行う通信モジュールを具備したことを特徴とする道路情報通信システム。
【請求項６】
遠隔地に配置された標示手段に対して標示データの標示を指示するクライアント端末にネットワークを介して接続されたサーバコンピュータにおいて、
前記標示手段と無線通信を行う携帯電話網との間でコネクションを確立するための接続情報と、標示データを標示可能な少なくとも１つの標示器の識別情報と標示器に標示する標示データを指定するための標示データ識別情報とを記憶する記憶手段と、
前記クライアント端末により、前記記憶手段に記憶されている識別情報の中で所望の標示器の識別情報と標示データ識別情報とが指定された場合、前記記憶手段に記憶されている接続情報を用いて前記携帯電話網との間でコネクションを確立する手段と、
前記携帯電話網とのコネクションが確立した場合、前記標示データ識別情報を含む通信パケットを前記携帯電話網を通じて該当標示手段へ送信する手段と
を具備したことを特徴とするサーバコンピュータ。
【請求項７】
遠隔地に配置された標示手段に対して標示データの標示を指示するクライアント端末とこのクライアント端末にネットワークを介して接続されたサーバコンピュータとを備えた道路情報通信システムにおける道路情報通信方法において、
前記クライアント端末により、前記記憶手段に記憶されている識別情報の中で所望の標示器の識別情報と標示データ識別情報とが指定された場合、前記サーバコンピュータは、予め記憶されている接続情報を用いて前記携帯電話網との間でコネクションを確立するステップと、
前記携帯電話網とのコネクションが確立した場合、前記サーバコンピュータは、前記標示データ識別情報を含む通信パケットを前記携帯電話網を通じて該当標示手段へ無線送信するステップと、
前記標示手段は、前記携帯電話網との無線通信により前記サーバコンピュータより受信された通信パケットに含まれる標示データ識別情報に基づいて予め記憶されている該当標示データを読み出して標示するステップと
を有することを特徴とする道路情報通信方法。
【請求項８】
遠隔地に配置された標示器に対してメッセージの標示を指示するクライアント端末とこのクライアント端末に対して標示器にメッセージを標示するための情報を公開するサーバコンピュータとがネットワークに接続された道路情報通信システムにおける表示方法において、
前記サーバコンピュータは、前記クライアント端末よりネットワークを通じて受信されたアクセス情報と、予め記憶されているアクセス情報とに基づいてユーザ認証を行うステップと、
ユーザ認証ステップでアクセス可能なユーザとして認証された場合、前記サーバコンピュータが、所望の標示器と標示データ識別情報の指定を促すステップと、
前記クライアント端末より所望の標示器と標示データ識別情報が指定された場合、前記サーバコンピュータは、所望の標示器が接続された該当通信ユニットと通信するために前記携帯電話網との間にコネクションを確立するステップと、
前記携帯電話網とのコネクションが確立した場合、前記サーバコンピュータは、前記標示データ識別情報を含む通信パケットを前記携帯電話網を通じて無線通信で該当通信ユニットへ送信するステップと、
前記通信ユニットは、前記携帯電話網との無線通信により、前記サーバコンピュータより受信した標示データ識別情報を含む通信パケットから標示データ識別情報を抽出し、該当ポートより前記標示器へ出力するステップと、
前記標示器は、前記通信ユニットより入力された標示データ識別情報に基づいて予め記憶されている該当標示データを読み出して標示するステップと
を有することを特徴とする道路情報通信方法。
【請求項９】
請求項８記載の道路情報通信方法において、
前記通信ユニットは、所定のタイミングで、予め設定された前記携帯電話網と無線接続するための接続情報を用いて前記携帯電話網へ無線通信でアクセスし、入力ポートに接続された撮影手段により撮影された現地の画像情報を、携帯電話網を通じてサーバコンピュータへ送信するステップと、
前記サーバコンピュータは、前記携帯電話網を通じて受信された前記画像情報を、ユーザ認証したクライアント端末へ閲覧可能に公開するステップと
を有することを特徴とする道路情報通信方法。
【請求項１０】
遠隔地に配置された標示手段に対して標示データの標示を指示するクライアント端末にネットワークを介して接続されたサーバコンピュータにおける道路情報通信方法において、
前記クライアント端末により、所望の標示器の識別情報と標示データ識別情報とが指定された場合、サーバコンピュータは、予め記憶された接続情報を用いて前記携帯電話網との間でコネクションを確立するステップと、
前記携帯電話網とのコネクションが確立した場合、前記サーバコンピュータは、前記標示データ識別情報を含む通信パケットを前記携帯電話網を通じて該当標示手段へ送信するステップと
を有することを特徴とする道路情報通信方法。
【請求項１１】
遠隔地に配置された標示手段に対して標示データの標示を指示するクライアント端末にネットワークを介して接続されたサーバコンピュータに処理を実行させる道路情報通信プログラムにおいて、
前記サーバコンピュータを、
前記標示手段と無線通信を行う携帯電話網との間でコネクションを確立するための接続情報と、標示データを標示可能な少なくとも１つの標示器の識別情報と標示器に標示する標示データを指定するための標示データ識別情報とを記憶する記憶手段と、
前記クライアント端末により、前記記憶手段に記憶されている識別情報の中で所望の標示器の識別情報と標示データ識別情報とが指定された場合、前記記憶手段に記憶されている接続情報を用いて前記携帯電話網との間でコネクションを確立する手段と、
前記携帯電話網とのコネクションが確立した場合、前記標示データ識別情報を含む通信パケットを前記携帯電話網を通じて該当標示手段へ送信する手段
として機能させることを特徴とする道路情報通信プログラム。
【請求項１２】
請求項１記載の道路情報通信システムにおいて、
前記現地機器は、前記携帯電話網と自機との間でコネクションが確立された場合、他の現地機器との間で無線ＬＡＮを構築し、前記他の現地機器と前記サーバコンピュータとの情報のやり取りを中継する無線ＬＡＮアクセスポイントを具備したことを特徴とする道路情報通信システム。
【請求項１３】
請求項１記載の道路情報通信システムにおいて、
前記現地機器は、前記携帯電話網とコネクションを確立した無線ＬＡＮアクセスポイントを備える他の現地機器との間で無線ＬＡＮを構築し、前記無線ＬＡＮアクセスポイントを通じて前記サーバコンピュータと情報のやり取りを行う無線ＬＡＮクライアントを具備したことを特徴とする道路情報通信システム。
【発明の詳細な説明】
【技術分野】
【０００１】
本発明は、例えば遠隔地の道路に設置された標示内容を可変可能な標示器を、現地の天候や交通事情などの状況によって遠隔操作してその標示内容をリアルタイムに変更することが可能な道路情報通信システム、サーバコンピュータ、道路情報通信方法、道路情報通信プログラムに関する。
【背景技術】
【０００２】
例えば道路に雪が降っているときに、時間がある程度経過すると、積雪で道路が滑り易くなる。
そこで、この場合、道路を管理する団体は、要注意箇所に積雪注意または通行注意などといった通行案内板（以下標示板と称す）を配置し、該当地域で案内や注意の標示を行い、現地の道路を走行する車両や通行者へ注意を促すことを行っている。
【０００３】
現地の天候が雪から雨に変化した場合やさらに積雪が多くなり通行止めにする必要がでてきた場合、配置している標示板の標示内容を変えたり、現地から団体本部に現地の状況を連絡して道路を通行止めにするなどの対策を実施する必要がある。
【０００４】
道路における標識の標示内容を変える技術としては、さまざまな標示内容を印刷したプラカードを複数用意しておき交換するなどといった技術から、無線通信を利用して円形の交通規制標識を回動させて規制標示内容を切り替える技術などが存在する（例えば特許文献１参照）。
【特許文献１】特開平０７−３７３０号公報
【発明の開示】
【発明が解決しようとする課題】
【０００５】
しかしながら、現地の天候や交通状況などを団体本部に連絡することは、人が電話などを利用して行うしかなく、結局のところ、現地の状況を把握して適切な案内や標示を行うには、現地での人手の対応に頼るしかないという問題があった。
【０００６】
本発明はこのような課題を解決するためになされたもので、遠隔地の状況の変化に応じて適切な対応を行うことのできる道路情報通信システム、サーバコンピュータ、道路情報通信方法、道路情報通信プログラムを提供することを目的としている。
【課題を解決するための手段】
【０００７】
上記した目的を達成するために、本発明の道路情報通信システムは、遠隔地の道路に設置され、現地において情報を取得または出力する現地機器と、前記現地機器と通信を行うサーバコンピュータと、前記サーバコンピュータにネットワークを介してアクセスし、前記現地機器に対して情報を取得または出力するための指示を行うクライアント端末とを備えた道路情報通信システムにおいて、前記クライアント端末は、前記サーバコンピュータに蓄積されている現地の情報を前記ネットワークを通じて閲覧するための手段と、前記現地機器へ出力する出力情報の指定またはキー入力を受け付け前記サーバコンピュータへ送信する手段とを備え、前記現地機器は、現地の情報を取得する現地情報取得手段、および受け取った出力情報を出力する情報出力手段のうちの少なくとも１つの手段と、前記現地情報取得手段が存在する場合、イベントの発生によって携帯電話網と無線通信でコネクションを確立して前記現地情報取得手段により取得された現地情報を前記携帯電話網を通じて前記サーバコンピュータへ送信する手段と、前記情報出力手段が存在する場合、前記クライアント端末からの指示またはキー入力によって前記サーバコンピュータより前記携帯電話網を通じて受信された出力情報を前記情報出力手段へ送出する手段とを備え、前記サーバコンピュータは、前記クライアント端末により、前記現地機器へ出力する出力情報が前記ネットワークを介して指定またはキー入力された場合、前記携帯電話網とコネクションを確立して前記出力情報を前記携帯電話網を介して前記現地機器へ送信する手段と、前記現地機器より受信された現地情報を、前記クライアント端末より閲覧可能に蓄積する手段とを具備したことを特徴とする。
本発明の道路情報通信システムは、遠隔地の道路に配置された標示手段と、この標示手段に対して標示データの標示を指示するクライアント端末と、このクライアント端末にネットワークを介して接続されたサーバコンピュータとを備えた道路情報通信システムにおいて、前記サーバコンピュータは、前記標示手段と無線通信を行う携帯電話網との間でコネクションを確立するための接続情報と、標示データを標示可能な少なくとも１つの標示器の識別情報と標示器に標示する標示データを指定するための標示データ識別情報とを記憶する記憶手段と、前記クライアント端末により、前記記憶手段に記憶されている識別情報の中で所望の標示器の識別情報と標示データ識別情報とが指定された場合、前記記憶手段に記憶されている接続情報を用いて前記携帯電話網との間でコネクションを確立する手段と、前記携帯電話網とのコネクションが確立した場合、前記標示データ識別情報を含むパケットを前記携帯電話網を通じて該当標示手段へ送信する手段とを備え、前記標示手段は、前記携帯電話網との無線通信を行う無線通信手段と、入力された標示データを標示するＬＥＤ標示部と、前記ＬＥＤ標示部に標示する少なくとも一つの標示データと標示データを識別するための標示データ識別情報とを対応させて記憶した記憶手段と、前記無線通信手段と前記携帯電話網との無線通信により前記サーバコンピュータより受信されたパケットに含まれる標示データ識別情報に基づいて前記記憶手段に記憶されている該当標示データを読み出して前記ＬＥＤ標示部へ出力する標示制御手段とを具備したことを特徴とする。
【０００８】
本発明の道路情報通信システムは、遠隔地の道路に配置された標示器に対してメッセージの標示を指示するクライアント端末とこのクライアント端末に対して標示器にメッセージを標示するための情報を公開するサーバコンピュータとがネットワークに接続された道路情報通信システムにおいて、ポートに前記標示器が接続され、携帯電話網の無線基地局と無線通信する通信ユニットを備え、前記サーバコンピュータは、前記標示器が接続された通信ユニットが前記携帯電話網との間でコネクションを確立するための接続情報と、前記標示器に標示する少なくとも一つの標示データを指定するための標示データ識別情報と、前記クライアント端末がサーバコンピュータにアクセスするためのアクセス情報とを記憶する記憶手段と、前記クライアント端末よりネットワークを通じて受信されたアクセス情報と、前記記憶手段に記憶されているアクセス情報とに基づいてユーザ認証を行うユーザ認証手段と、前記ユーザ認証手段によりアクセス可能なユーザとして認証された場合、所望の標示器と標示データ識別情報の指定を促す手段と、前記クライアント端末より所望の標示器と標示データ識別情報が指定された場合、所望の標示器が接続された該当通信ユニットと通信するために前記携帯電話網との間にコネクションを確立する手段と、前記携帯電話網とのコネクションが確立した場合、前記標示データ識別情報を含む通信パケットを前記携帯電話網を通じて無線通信で該当通信ユニットへ送信し、通信パケットに含まれる標示データ識別情報を前記ポートより該当標示器へ出力させる手段とを備え、
前記標示器は、前記メッセージを標示するＬＥＤ標示部と、前記ＬＥＤ標示部に標示する少なくとも一つの標示データを標示データ識別情報と対応させて記憶した記憶手段と、前記通信ユニットのポートより入力された標示データ識別情報を用いて前記記憶手段に記憶されている該当標示データを読み出して前記ＬＥＤ標示部へ出力する標示制御手段とを具備したことを特徴とする。
【０００９】
上記の道路情報通信システムにおいて、通信ユニットの入力ポートに接続され、標示器が設置されている現地の状況を撮影する撮影手段と、撮影手段により撮影された現地の画像情報を、所定のタイミングで携帯電話網を通じてサーバコンピュータへ送信する手段と、携帯電話網を通じて受信された画像情報を、サーバコンピュータがユーザ認証したクライアント端末へ閲覧可能に公開する現地情報公開手段とを備えることで、標示器が設置されている現地の状況をリアルタイムに把握できる。
【００１０】
上記の道路情報通信システムにおいて、通信ユニットは、携帯電話網と無線接続するための接続情報が予め設定されており、所定のタイミングで接続情報を用いて携帯電話網へ無線通信でアクセスし、標示器または撮像手段からの情報を送信すると共に、携帯電話網の通信パケットと標示器へのデータまたは撮像手段からの通信パケットとの相互変換を行う通信モジュールを備えることで、標示器や撮像手段を能動的に動作させることができる。
【００１１】
本発明のサーバコンピュータは、遠隔地に配置された標示手段に対して標示データの標示を指示するクライアント端末にネットワークを介して接続されたサーバコンピュータにおいて、前記標示手段と無線通信を行う携帯電話網との間でコネクションを確立するための接続情報と、標示データを標示可能な少なくとも１つの標示器の識別情報と標示器に標示する標示データを指定するための標示データ識別情報とを記憶する記憶手段と、前記クライアント端末により、前記記憶手段に記憶されている識別情報の中で所望の標示器の識別情報と標示データ識別情報とが指定された場合、前記記憶手段に記憶されている接続情報を用いて前記携帯電話網との間でコネクションを確立する手段と、前記携帯電話網とのコネクションが確立した場合、前記標示データ識別情報を含む通信パケットを前記携帯電話網を通じて該当標示手段へ送信する手段とを具備したことを特徴とする。
【００１２】
本発明の道路情報通信方法は、遠隔地に配置された標示手段に対して標示データの標示を指示するクライアント端末とこのクライアント端末にネットワークを介して接続されたサーバコンピュータとを備えた道路情報通信システムにおける道路情報通信方法において、前記クライアント端末により、前記記憶手段に記憶されている識別情報の中で所望の標示器の識別情報と標示データ識別情報とが指定された場合、前記サーバコンピュータは、予め記憶されている接続情報を用いて前記携帯電話網との間でコネクションを確立するステップと、前記携帯電話網とのコネクションが確立した場合、前記サーバコンピュータは、前記標示データ識別情報を含む通信パケットを前記携帯電話網を通じて該当標示手段へ無線送信するステップと、前記標示手段は、前記携帯電話網との無線通信により前記サーバコンピュータより受信された通信パケットに含まれる標示データ識別情報に基づいて予め記憶されている該当標示データを読み出して標示するステップとを有することを特徴とする。
【００１３】
本発明の道路情報通信方法は、遠隔地に配置された標示器に対してメッセージの標示を指示するクライアント端末とこのクライアント端末に対して標示器にメッセージを標示するための情報を公開するサーバコンピュータとがネットワークに接続された道路情報通信システムにおける表示方法において、前記サーバコンピュータは、前記クライアント端末よりネットワークを通じて受信されたアクセス情報と、予め記憶されているアクセス情報とに基づいてユーザ認証を行うステップと、ユーザ認証ステップでアクセス可能なユーザとして認証された場合、前記サーバコンピュータが、所望の標示器と標示データ識別情報の指定を促すステップと、前記クライアント端末より所望の標示器と標示データ識別情報が指定された場合、前記サーバコンピュータは、所望の標示器が接続された該当通信ユニットと通信するために前記携帯電話網との間にコネクションを確立するステップと、前記携帯電話網とのコネクションが確立した場合、前記サーバコンピュータは、前記標示データ識別情報を含む通信パケットを前記携帯電話網を通じて無線通信で該当通信ユニットへ送信するステップと、前記通信ユニットは、前記携帯電話網との無線通信により、前記サーバコンピュータより受信した標示データ識別情報を含む通信パケットから標示データ識別情報を抽出し、該当ポートより前記標示器へ出力するステップと、前記標示器は、前記通信ユニットより入力された標示データ識別情報に基づいて予め記憶されている該当標示データを読み出して標示するステップとを有することを特徴とする。
【００１４】
本発明の道路情報通信方法は、上記の道路情報通信方法において、通信ユニットは、所定のタイミングで、予め設定された携帯電話網と無線接続するための接続情報を用いて携帯電話網へ無線通信でアクセスし、入力ポートに接続された撮影手段により撮影された現地の画像情報を、携帯電話網を通じてサーバコンピュータへ送信するステップと、サーバコンピュータは、携帯電話網を通じて受信された前記画像情報を、ユーザ認証したクライアント端末へ閲覧可能に公開するステップとを有することで、クライアント端末のオペレータは、標示器が設置されている現地の状況を画像を見てリアルタイムに把握できる。
【００１５】
本発明の道路情報通信方法は、遠隔地に配置された標示手段に対して標示データの標示を指示するクライアント端末にネットワークを介して接続されたサーバコンピュータにおける道路情報通信方法において、前記クライアント端末により、所望の標示器の識別情報と標示データ識別情報とが指定された場合、サーバコンピュータは、予め記憶された接続情報を用いて前記携帯電話網との間でコネクションを確立するステップと、前記携帯電話網とのコネクションが確立した場合、前記サーバコンピュータは、前記標示データ識別情報を含む通信パケットを前記携帯電話網を通じて該当標示手段へ送信するステップとを有することを特徴とする。
【００１６】
本発明の道路情報通信プログラムは、遠隔地に配置された標示手段に対して標示データの標示を指示するクライアント端末にネットワークを介して接続されたサーバコンピュータに処理を実行させる道路情報通信プログラムにおいて、前記サーバコンピュータを、前記標示手段と無線通信を行う携帯電話網との間でコネクションを確立するための接続情報と、標示データを標示可能な少なくとも１つの標示器の識別情報と標示器に標示する標示データを指定するための標示データ識別情報とを記憶する記憶手段と、前記クライアント端末により、前記記憶手段に記憶されている識別情報の中で所望の標示器の識別情報と標示データ識別情報とが指定された場合、前記記憶手段に記憶されている接続情報を用いて前記携帯電話網との間でコネクションを確立する手段と、前記携帯電話網とのコネクションが確立した場合、前記標示データ識別情報を含む通信パケットを前記携帯電話網を通じて該当標示手段へ送信する手段として機能させることを特徴とする。
【００１７】
本発明では、クライアント端末により、遠隔地の現地機器へ出力する出力情報がネットワークを介して指定またはキー入力された場合、サーバコンピュータは、携帯電話網とコネクションを確立して出力情報を携帯電話網を介して現地機器へ送信する。現地機器は、サーバコンピュータより携帯電話網を通じて受信された出力情報を情報出力手段より出力する。
一方、現地機器では、イベントの発生によって携帯電話網と無線通信でコネクションを確立して現地情報取得手段が取得した現地の情報を携帯電話網を通じてサーバコンピュータへ送信する。サーバコンピュータは、現地機器より受信された現地情報を、クライアント端末より閲覧可能に蓄積し、クライアント端末がアクセスしてきたときにそれを閲覧させる。
このように携帯電話網を利用して現地機器とクライアント端末の設置場所とで双方向通信を実現することで、遠隔地の状況を確実に把握し、遠隔地の状況の変化に応じて適切な情報の出力を行うことができる。
また、本発明では、クライアント端末により、所望の標示器の識別情報と標示データ識別情報とが指定された場合、予め登録されている接続情報を用いて携帯電話網との間でコネクションを確立し、標示データ識別情報を含む通信パケットを携帯電話網を通じて無線通信で該当標示手段へ送信する。一方、標示手段は、携帯電話網との無線通信によりサーバコンピュータより受信された通信パケットに含まれる標示データ識別情報に基づいて該当標示データをＬＥＤ標示部に表示する。
すなわち、本発明は、広い無線通信エリアをカバーする携帯電話網を利用して遠隔地の撮像手段により取得された遠隔地の画像をクライアント端末に公開すると共に、遠隔地の標示手段へ標示データ識別情報を送信して該当標示手段に所望の標示内容を標示させる。
【発明の効果】
【００１８】
以上説明したように本発明によれば、遠隔地の状況の変化に応じて適切な対応を行うことができる。
【発明を実施するための最良の形態】
【００１９】
以下、本発明の実施の形態を図面を参照して詳細に説明する。
図１は本発明の道路情報通信システムに係る一つの実施形態のＬＥＤ標識無線遠隔操作システムの構成を示す図、図２は図１のＬＥＤ標識無線遠隔操作システムの標示器８９の構成を示す図、図３は標示器８９のメモリに記憶されているデータを示す図である。
【００２０】
図１に示すように、このＬＥＤ標識無線遠隔操作システムは、クライアントシステム１と、このクライアントシステム１にインターネット２を介して接続されたセンタシステム３と、このセンタシステム３にＩＮＳ回線４を介して接続されたＩＰ−ＶＰＮ網５と、このＩＰ−ＶＰＮ網５に接続された携帯電話網６と、この携帯電話網６に無線接続される現地機器８とから構成されている。インターネット２はオープンなネットワークの１つである。一方、ＬＡＮ、ＩＮＳ回線４およびＩＰ−ＶＰＮ網５などは、ファイヤーウォール装置などで守られたクローズされたネットワークと言える。
【００２１】
クライアントシステム１は、例えば道路を管理する団体の本部または管理部署などに設置されている。クライアントシステム１は、この場所から離れた遠隔地の現場、つまり案内や警告の標示が必要な道路などに配置された標示器８９に対してメッセージの標示を指示するクライアント端末（以下ＰＣ１１と称す）と、このＰＣ１１とインターネット２に接続するルータ１２とを有している。
【００２２】
ＰＣ１１は、ハードウェアとして、例えばメモリ、ＣＰＵ、ハードディスク装置、ネットワークインタフェースなどを備えたコンピュータである。ハードディスク装置には、オペレーティングシステム（以下ＯＳと称す）、ブラウザソフトウェアなどのソフトウェア（プログラム）がインストールされており、これらソフトウェアとハードウェアが協動してＷｅｂ閲覧機能、標示器８９への標示指示機能を実現する。つまりＰＣ１１は、センタサーバ３１にアクセスして、標示された画面より所望の標示器８９へ標示内容を指示する機能を有する。ブラウザソフトウェアは、センタサーバ３１に蓄積されている現地の情報（静止画や動画）をインターネット２を通じて閲覧するための手段として機能する。また、ブラウザソフトウェアは、現地機器８へ出力する出力情報（ＣＨ．番号やテキストデータなど）の指定またはキー入力を受け付けセンタサーバ３１へ送信する手段として機能する。
【００２３】
センタシステム３は、インターネット２に接続するルータ３３と、このルータ３３を通じて行われるインターネット２からの不正なアクセスを防止するファイヤーウォール装置３２（以下Ｆ／Ｗ３２と称す）と、このＦ／Ｗ３２とＬＡＮ３５を通じて接続されたサーバコンピュータ３１（以下センタサーバ３１と称す）と、ＬＡＮ３５とＩＮＳ回線４とを接続するルータ３４とを備えている。
【００２４】
センタサーバ３１は、ハードウェアとして、例えばメモリ、ＣＰＵ、ハードディスク装置、ネットワークインタフェースなどを備えたコンピュータである。ハードディスク装置には、オペレーティングシステム（以下ＯＳと称す）、Ｗｅｂサーバソフトウェア、データベースソフトウェアなどのソフトウェア（プログラム）がインストールされており、これらソフトウェアとハードウェアが協動して本発明の各機能を実現する。
つまりセンタサーバ３１は、Ｗｅｂサーバ機能、ＳＭＴＰサーバ機能、データベースを管理するＤＢ機能などを有している。
【００２５】
ＤＢ機能は、このセンタサーバ３１へアクセス可能なユーザの情報やコンテンツ情報をハードディスク装置上のデータベースに登録および管理する機能である。
【００２６】
データベースには、標示器８９が接続された通信ユニット８１に対して要求を行うための接続情報（通信ユニット８１のＩＰアドレス）と、標示器８９に標示する少なくとも一つの標示コンテンツデータ（以下標示データと称す）を指定するための標示データ識別情報としてのチャネル番号（以下ＣＨ.番号と称す）と、このＣＨ.番号を指定またはメッセージ自体を入力するためのコンテンツ情報（路線図画面など）と、ユーザがこのセンタサーバ３１にログインするためのログイン情報（ユーザＩＤ、パスワード）などが記憶されている。標示データは、例えば雪氷注意、工事中などのメッセージデータである。
【００２７】
Ｗｅｂサーバ機能は、インターネット２を通じてこのサーバへアクセス要求してきたＰＣ１１に対してデータベースに登録されたアクセス情報としてのログイン情報を用いてユーザ認証を行う機能と、ユーザ認証によりアクセスを許可したＰＣ１１へ標示器８９の遠隔操作のためのコンテンツ（各種画面）を送信する機能を有している。
【００２８】
つまり、Ｗｅｂサーバ機能は、ＰＣ１１よりインターネット２を通じて受信されたログイン情報と、データベースに記憶されているログイン情報とを用いてユーザ認証した結果、このサーバにアクセス可能なユーザとして認証した場合、標示器８９に標示する標示データを指定するための画面をＰＣ１１へ送信する手段として機能する。
【００２９】
ＳＭＴＰサーバ機能は、Ｗｅｂカメラ８８からＳＭＴＰ接続された場合、Ｗｅｂカメラ８８を認証してＷｅｂカメラ８８より送信された電子メールを受信し、電子メールに添付されていた画像ファイルをデータベースに登録および現地情報画面にアップする機能である。
【００３０】
また、ＰＣ１１において標示された画面のＣＨ.番号が指定された場合、Ｗｅｂサーバ機能は、該当通信ユニット８１のＩＰアドレスを含む接続要求パケットをＩＰ−ＶＰＮ網５および携帯電話網６へ送信し、携帯電話網６においてユーザ認証した後、通信ユニット８１とのＰＰＰセッション（コネクション）を確立した通知を受けて、ＴＣＰソケット通信によりＣＨ.番号を含むパケットを通信ユニット８１へ送信し、通信ユニット８１においてパケットより取り出したＣＨ.番号を含むＬＥＤ標示コマンドを該当標示器８９へ着信（受信）させる手段として機能する。
Ｗｅｂサーバ機能は、ＰＣ１１により、現地機器８へ出力する出力情報（ＣＨ．番号やテキストデータなど）がインターネット２を介して指定またはキー入力された場合、携帯電話網６とコネクションを確立して出力情報を携帯電話網６を介して現地機器８へ送信する手段として機能する。
【００３１】
Ｗｅｂサーバ機能は、Ｗｅｂカメラ８８より得られたイメージデータを登録ユーザが閲覧可能な画面に公開する現地情報公開手段として機能する。Ｗｅｂサーバ機能は、クライアントシステム１のＰＣ１１（登録ユーザ）に対して現地の状況を静止画または動画の形態で公開する。Ｗｅｂサーバ機能は、現地機器８より受信された現地情報を、ＰＣ１１より閲覧可能に蓄積する手段として機能する。
【００３２】
すなわち、上記したセンタサーバ３１は、標示手段としての現地機器８と無線通信を行う携帯電話網６との間でコネクションを確立するための接続情報と、標示データを標示可能な少なくとも１つの標示器８９の識別情報（Ｎｏ．０１などの標識番号）と標示器８９に標示する標示データを指定するためのＣＨ．番号（表示データ識別番号）とを記憶する記憶手段としてのメモリと、ＰＣ１１により、メモリに記憶されている識別情報の中で所望の標示器８９の標識番号とＣＨ．番号とが指定された場合、メモリに記憶されている接続情報を用いて携帯電話網６との間でコネクションを確立する手段と、携帯電話網６との間でコネクションが確立した場合、ＴＣＰソケット通信によりＣＨ．番号を含むパケットを携帯電話網６を通じて該当現地機器８へ送信する手段を備えるものである。
【００３３】
携帯電話網６は、パケット通信網である。この携帯電話網６には、認証代行サーバ６１、ＩＰ中継装置６２、無線基地局６３などが設けられている。
認証代行サーバ６１は、通信ユニット８１からのアクセス要求に対して、ユーザ認証を行い、ユーザ認証されると、携帯電話網６内のプライベートなＩＰアドレスを固定的に割り当てる。
【００３４】
センタサーバ３１からルータ３４、ＩＮＳ回線４およびＩＰ−ＶＰＮ網５を通じて通信対象の通信ユニット８１に割り当てられているＩＰアドレスに対してＩＰパケットが送信され、それがＩＰ中継装置６２に受信されると、ＩＰ中継装置６２は、指定されたＩＰパケットの宛先ＩＰアドレスが割り当てられている通信ユニット８１に対して端末起動信号（ＳＭＳ）を送出する。
【００３５】
無線基地局６３は、全国の道路をほぼカバーする無線通信エリアを形成するように広い範囲に点在して設置されている情報通信インフラ（携帯電話網６の既存設備）である。無線基地局６３は、通信ユニット８１と無線通信を行う。
【００３６】
現地機器８は、通信ユニット８１、Ｗｅｂカメラ８８、標示器８９などを備えるものであり、例えば道路の状況を案内する案内車などの移動車両に載置されている。案内車は、その地域の天候や道路の状況の案内を行うために、その現地（現場）へ移動しその場所に適した案内や警告のメッセージを標示器８９に標示させる。なお、現地機器８は、案内車に搭載する以外に、道路の路側部に任意の間隔で点在させて設置しても良い。
標示器８９は、図２に示すように、通信Ｉ／Ｆ２１、制御部２２、標示データを標示するＬＥＤ標示部２６、記憶手段としてのメモリ２３、標示メモリ２４、ＬＥＤ標示出力部２５などを備えている。
【００３７】
通信Ｉ／Ｆ２１は、ＲＳ４８５の通信プロトコルをサポートするシリアル通信インタフェースである。ＬＡＮ／ＲＳ４８５Ｃ８５からのシリアルケーブル８７が接続される。
【００３８】
ＬＥＤ標示部２６は、多数のＬＥＤがマトリクス状に配置された薄型の標示部を有するものであり、入力された文字や記号などのさまざまな標示データをカラー標示する。
メモリ２３には、ＬＥＤ標示部２６に標示する少なくとも一つの標示データ（雪氷注意、工事中などのメッセージデータ）とＣＨ．番号とが対応して記憶されている。
【００３９】
制御部２２は、携帯電話網６とのコネクションの確立によってセンタサーバ３１より通信ユニット８１に受信されたＩＰパケットに含まれていたＣＨ.番号を基に、図４に示す標示順テーブル４３を作成し、メモリ２３に記憶されている該当標示データを、作成した標示順テーブル４３の標示順に従って標示メモリ２４に順に読み出してＬＥＤ標示出力部２５へ出力する。
【００４０】
メモリ２３には、図５に示すような割り込み標示フラグ４５が設定されている。割り込み標示フラグ４５としては、セット／解除の２つが設定される。
例えばこの標示器８９に、携帯電話網６より通信ユニット８１を通じて「緊急標示」などのＬＥＤ標示コマンドが受信された場合、メモリ２３の割り込み標示フラグ４５がセットされる。制御部２２は、割り込み標示フラグ４５がセットされた場合、強制的に所定のチャネル、例えばＣＨ．３１０だけを標示する。
【００４１】
ＬＥＤ標示出力部２５は、標示メモリ２４より入力された標示コンテンツデータを制御部２２によりタイミング制御を受けてＬＥＤ標示部２６へ出力する。
【００４２】
制御部２２は、各部を統括制御すると共に、ＬＥＤ標示出力部２５による標示データの出力タイミングを制御する。
【００４３】
つまり、制御部２２は、メモリ２３に設定されている標示順テーブルに基づきＣＨ.番号をキーにメモリ２３より標示データを読み出してＬＥＤ標示部２６に標示する。
【００４４】
Ｗｅｂカメラ８８は、標示器８９が設置されている現地の状況を撮影する撮影手段であり、カメラ、メモリ、ＣＰＵ、ＬＡＮインタフェースなどを備えている。Ｗｅｂカメラ８８は、ネットワークカメラとも言う。現地の状況とは、例えば道路の交通状況、天候状況、標示器８９の標示内容などである。
【００４５】
カメラは、光学系が向けられた方向の風景、つまり現地の画像情報（イメージデータ）を所定期間に所定の枚数取得しメモリに記憶する。カメラには、ズーミング可能な光学系と、光学系をパン、チルトする駆動部と、光学系より受光して３０万画素程度のイメージデータを生成するＣＣＤ撮像素子とが設けられている。
【００４６】
メモリには、カメラによって撮影されたイメージデータが順にバッファリングされる。カメラは、上記３０万画素、つまり６４０×４８０ドット以外にも３２０×２４０ドット、１６０×１２０ドットなどのイメージデータを生成できる。ＬＡＮインタフェースには、ハブ８４からのＬＡＮケーブル８６が接続される。
【００４７】
ＣＰＵは、ネットワークからの指示を受けて駆動部を制御して光学系をズーミング、パン、チルトさせる。ＣＰＵは、メモリに記憶されたイメージデータ（画像ファイル）をＷｅｂ上に公開するＷｅｂサーバ機能とＳＭＴＰサーバ接続機能を有している。
Ｗｅｂサーバ機能は、メモリに記憶されたイメージデータ（画像ファイル）を外部からのアクセスで閲覧させる機能である。
【００４８】
ＳＭＴＰサーバ接続機能は、トリガの発生、つまりある所定のタイミングで携帯電話網６とのセッションを確立した後、センタサーバ３１へＳＭＴＰサーバ接続を行い、メモリに記憶されたイメージデータ（画像ファイル）を添付した電子メールを、ＬＡＮインタフェースより携帯電話網６およびＩＰ−ＶＰＮ網５を通じてセンタサーバ３１へ送信する機能である。比較的短期間、例えば１秒間に数十枚のイメージデータを取得することを「動画を撮影する」とも言う。動画および静止画などは画像情報に含まれる。
【００４９】
通信ユニット８１は、アンテナ８２が接続された通信モジュール８３と、複数のＬＡＮポートを備えるハブ８４と、ＬＡＮ／ＲＳ４８５変換アダプタ８５（以下ＬＡＮ／ＲＳ４８５Ｃ８５と称す）とを備えている。通信ユニット８１は、標示器８９と携帯電話網６間に接続されている。通信ユニット８１のハブ８４のＬＡＮポートの１つに、Ｗｅｂカメラ８８が接続されている（Ｗｅｂカメラ８８が存在する）場合、イベントの発生によって携帯電話網６と無線通信でコネクションを確立してＷｅｂカメラ８８により取得された現地情報（画像情報）を携帯電話網６を通じてセンタサーバ３１へ送信する手段として機能する。イベントの発生とは、例えばタイマ動作で数分毎または数時間毎などに出されるトリガ信号などである。
通信ユニット８１のＬＡＮ／ＲＳ４８５Ｃ８５の出力ポートに標示器８９が接続されている（標示器８９が存在する）場合、ＰＣ１１からの指示またはキー入力によってセンタサーバ３１より携帯電話網６を通じて受信された出力情報（指定されたＣＨ．番号やキー入力されたテキストデータなど）を標示器８９へ送出する手段として機能する。
【００５０】
通信モジュール８３には、メモリが設けられている。メモリには、携帯電話網６へのアクセス情報が予め記憶されている。アクセス情報は、この通信ユニット８１を識別するための情報であり、携帯電話網６の認証代行サーバ６１とパケット通信するための電話番号、ユーザ名（例えばユーザＩＤ＠ドメインなど）、パスワード、認証代行サーバ６１より固定的に割り当てられた携帯電話網６内のプライベートなＩＰアドレスなどである。
通信モジュール８３は、所定のタイミングでメモリの電話番号、ユーザ名、パスワードなどで携帯電話網６の認証代行サーバ６１へダイアルアップ接続（ＰＰＰ接続）する。
【００５１】
所定のタイミングとは、通信モジュール８３が有する時計機能により計時された時間を基に所定時間経過時、例えば１時間が経過するごとに一度などである。またセンタサーバ３１より現地画像の更新要求が受信されるときもある。
【００５２】
つまり、通信モジュール８３は、所定のタイミングで自身のメモリに設定されているアクセス情報を用いて携帯電話網６とのＰＰＰセッション（コネクション）を確立し、センタサーバ３１との間でＩＰパケットのやり取りを行う。
通信モジュール８３は、携帯電話網６とのＰＰＰセッションを確立した後、標示器８９の現在の標示情報またはＷｅｂカメラ８８からのイメージデータを携帯電話網６のＩＰパケットに変換してセンタサーバ３１へ送信する。また、通信モジュール８３は、センタサーバ３１から携帯電話網６に受信されたＩＰパケットを標示器８９またはＷｅｂカメラ８８への通信パケット（ＬＡＮのパケット）に変換して該当ポートより送出するパケット変換手段として機能する。通信モジュール８３は、標示器８９へＰｒｉｖａｔｅＰｏｒｔ：ＸＸＸＸなどを利用してパケットを送出する。通信モジュール８３は、ＴＣＰポートの８０を利用してＷｅｂカメラ８８とパケットの送受信を行う。
【００５３】
ハブ８４には、複数のＬＡＮポートが設けられており、通信モジュール８３からのＬＡＮケーブル８６の一端が１つのＬＡＮポート（アップリンク用のポート）に接続される。ハブ８４は、ＬＡＮをその他のＬＡＮポートで複数に分岐させる。その他のＬＡＮポートのうち１つはＬＡＮケーブル８６でＬＡＮ／ＲＳ４８５Ｃ８５に接続されている。また、その他のＬＡＮポートのうち１つはＬＡＮケーブル８６でＷｅｂカメラ８８に接続されている。
ＬＡＮ／ＲＳ４８５Ｃ８５は、ハブ８４からＬＡＮケーブル８６を通じて送られてきたパケットをＲＳ４８５のシリアルデータへ変換して標示器８９へ出力する。
【００５４】
上記した現地機器８は、携帯電話網６との無線通信を行う無線通信手段（通信ユニット８１）と、入力された標示データを標示するＬＥＤ標示部２６と、このＬＥＤ標示部２６に標示する少なくとも一つの標示データと標示データを識別するための標示データ識別情報としてのＣＨ．番号とを対応させて記憶したメモリ２３と、通信ユニット８１と携帯電話網６との無線通信によりセンタサーバ３１より受信されたＩＰパケットに含まれるＣＨ．番号に基づいてメモリ２３に記憶されている該当標示データを読み出してＬＥＤ標示部２６へ出力する標示制御手段（制御部２２、ＬＥＤ標示出力部２５など）とを備える標示手段として機能する。
また、現地機器８は、現地の情報を取得する現地情報取得手段としてのＷｅｂカメラ８８、および受け取った出力情報を出力する情報出力手段としての標示器８９のうちの少なくとも１つの手段を備える。
すなわち、このＬＥＤ標識無線遠隔操作システムは、遠隔地の道路に設置され、現地において情報を取得または出力する現地機器８と、この現地機器８と通信を行うセンタサーバ３１と、このセンタサーバ３１にインターネット２などのネットワークを介してアクセスし、現地機器８より情報を取得または現地機器８へ情報を出力するための指示を行うＰＣ１１とを備えるものである。
【００５５】
以下、図６〜１２を参照してこの実施形態のＬＥＤ標識無線遠隔操作システムの動作を説明する。
例えばある路線に雪が降っており、道路の管理団体は、雪が降っている地域に案内車を向かわせて、標示器８９に案内標示を行うものとする。このＬＥＤ標識無線遠隔操作システムの動作としては、ＬＥＤ標示制御動作、Ｗｅｂカメラ制御動作、画像ファイル定期送信動作などがある。
【００５６】
まず、ＬＥＤ標示制御動作について説明する。
この場合、クライアントシステム１のオペレータは、ＰＣ１１のブラウザソフトを起動して、ブラウザソフトの画面よりセンタサーバ３１のＵｎｉｆｏｒｍ  Ｒｅｓｏｕｒｃｅ  Ｌｏｃａｔｏｒ（ＵＲＬ）を入力する。すると、センタサーバ３１より送られたログイン画面がＰＣ１１に標示される。
【００５７】
ここで、オペレータが、キーボートより、ユーザＩＤ、パスワードなどを入力すると、センタサーバ３１では、ＣＰＵが、入力されたログイン情報とデータベースに登録されているログイン情報とを比較して、ユーザ認証処理を実行する。
【００５８】
ユーザ認証処理の結果、互いのログイン情報が合致し、このセンタサーバ３１へログイン可能なユーザであることが判明すると、センタサーバ３１のＣＰＵは、このＬＥＤ標識無線遠隔操作システムのポータル画面を送り、ＰＣ１１に標示させる。
ここで、オペレータが、ＰＣ１１に対してマウス操作などにより、例えばＬＥＤ標示を変更する指示を行うと、ＬＥＤ標示接続開始要求をインターネット２を通じてセンタサーバ３１へ送信する（図６のステップ１０１）。なお、以降ステップをＳと表記する。
【００５９】
センタサーバ３１では、ＬＥＤ標示接続開始要求を受信すると、ＣＰＵは、データベースの接続情報を参照して通信ユニット接続要求を生成し（Ｓ１０２）、通信ユニット向けのＵＤＰパケット（ダミー）をＩＰ中継装置６２へ送信する（Ｓ１０３）。通信ユニット接続要求には、通信ユニット８１のＩＰアドレスが含まれている。
【００６０】
ＩＰ中継装置６２は、ＵＤＰパケット（ダミー）が受信されると、ＵＤＰパケットの宛先ＩＰアドレスが割り当てられている通信ユニット８１に対して端末起動信号（ＳＭＳ）を送信する（Ｓ１０４）。
【００６１】
通信ユニット８１では、ＩＰ中継装置６２から送られてきた端末起動信号（ＳＭＳ）を通信モジュール８３が受信すると、通信モジュール８３は、レシーブ・インジケータ（以下ＲＩと称す）をオンし（Ｓ１０５）、認証代行サーバ６１へダイアルアップ接続（ＰＰＰ接続）を行う。
【００６２】
認証代行サーバ６１は、通信ユニット８１より受信された電話番号、ユーザ名、パスワードと、自身に予め登録されている端末情報とを比較して端末認証を行い、互いの情報が合致して登録端末であることが認証されると、携帯電話網６への接続を許可する。これにより、通信ユニット８１と携帯電話網６との間でＰＰＰセッション（コネクション）が確立される（Ｓ１０６）。
【００６３】
セッションが確立した後、センタサーバ３１から送信したＵＤＰパケットが通信ユニット８１に受信されると（Ｓ１０７）、センタサーバ３１のＣＰＵは、ＰＰＰセッション（コネクション）が確立したことを検知する（通信ユニット接続完了）（Ｓ１０８）。
【００６４】
そして、ＰＣ１１より標示データを識別するＣＨ．番号が指定されるなどしてＬＥＤ標示制御されると（Ｓ１０９）、センタサーバ３１のＣＰＵは、指示された情報をＩＰパケットにして、ＰｒｉｖａｔＰｏｒｔ：ＸＸＸＸＸを利用したＴＣＰソケット通信により（Ｓ１１０）、通信ユニット８１を通じてＬＡＮ／ＲＳ４８５Ｃ８５へ送り、ＬＡＮ／ＲＳ４８５Ｃ８５において、ＣＨ．番号を含むＬＥＤ標示コマンドが標示器８９へシリアル出力される（Ｓ１１１）。
【００６５】
標示器８９では、ＬＥＤ標示コマンドが通信Ｉ／Ｆ２１に受信されると、制御部２２が、ＬＥＤ標示コマンドに含まれていたＣＨ．番号をキーにして、メモリ２３より該当標示データを読み出して標示メモリ２４へ出力し、標示メモリ２４から順にＬＥＤ標示出力部２５を通じてＬＥＤ標示部２６へ出力され、ＬＥＤ標示部２６により標示データが標示される。
【００６６】
その後、通信ユニット８１は、センタサーバ３１からのＵＤＰパケットが一定時間以上送られなくなると、携帯電話網６との間で確立されているＰＰＰセッションを開放（コネクションを切断）する（Ｓ１１２）。
【００６７】
続いて、Ｗｅｂカメラ制御動作について説明する。
この場合、上記のＬＥＤ標示接続開始要求に代えて、ＰＣ１１は、Ｗｅｂカメラ接続要求をインターネット２を通じてセンタサーバ３１へ送信する（図７のＳ２０１）。
【００６８】
センタサーバ３１では、Ｗｅｂカメラ接続要求を受信すると、ＣＰＵは、データベースの接続情報を参照して通信ユニット接続要求を生成し（Ｓ２０２）、通信ユニット向けのＵＤＰパケット（ダミー）をＩＰ中継装置６２へ送信する（Ｓ２０３）。通信ユニット接続要求には、通信ユニット８１のＩＰアドレスが含まれている。
【００６９】
ＩＰ中継装置６２は、ＵＤＰパケット（ダミー）が受信されると、ＵＤＰパケットの宛先ＩＰアドレスが割り当てられている通信ユニット８１に対して端末起動信号（ＳＭＳ）を送信する（Ｓ２０４）。
【００７０】
通信ユニット８１では、ＩＰ中継装置６２から送られてきた端末起動信号（ＳＭＳ）を通信モジュール８３が受信すると、通信モジュール８３は、リシーブ・インジケータ（以下ＲＩと称す）をオンし（Ｓ２０５）、認証代行サーバ６１へダイアルアップ接続（ＰＰＰ接続）を行う。
【００７１】
認証代行サーバ６１は、通信ユニット８１より受信された電話番号、ユーザ名、パスワードと、自身に予め登録されている端末情報とを比較して端末認証を行い、互いの情報が合致して登録端末であることが認証されると、携帯電話網６への接続を許可する。これにより、通信ユニット８１と携帯電話網６との間でＰＰＰセッション（コネクション）が確立される（Ｓ２０６）。
【００７２】
セッションが確立した後、センタサーバ３１から送信したＵＤＰパケットが通信ユニット８１に受信されると（Ｓ２０７）、センタサーバ３１のＣＰＵは、ＰＰＰセッション（コネクション）が確立したことを検知する（通信ユニット接続完了）（Ｓ２０８）。
【００７３】
そして、ＰＣ１１より、Ｗｅｂカメラ８８をズーム動作、チルト動作、パン動作、撮像動作などを実行させる指示が行われるなどして、Ｗｅｂカメラ制御が行われると（Ｓ２０９）、センタサーバ３１のＣＰＵは、その指示情報をＩＰパケットにして、ＴＣＰポート：８０を利用したＨＴＴＰ通信により（Ｓ２０９）、通信ユニット８１を通じてＷｅｂカメラ８８へ送信する（Ｓ２１０）。これにより、Ｗｅｂカメラ８８は、受信した指示情報に対する動作を実行する。
【００７４】
その後、通信ユニット８１は、センタサーバ３１からの通信が一定時間以上なくなると、携帯電話網６との間で確立されているＰＰＰセッションを開放（コネクションを切断）する（Ｓ２１１）。
【００７５】
次に、Ｗｅｂカメラ８８が能動的に動作する画像ファイル定期送信動作について説明する。
この場合、Ｗｅｂカメラ８８のＣＰＵは、時計機能で時間を計時する中で、所定時間が経過する毎にＳＭＴＰサーバ接続要求を通信ユニット８１へ発行する（図８のＳ３０１）。
【００７６】
通信ユニット８１では、ＳＭＴＰサーバ接続要求を受信すると、携帯電話網６の認証代行サーバ６１へダイアルアップ接続（ＰＰＰ接続）を行う。
【００７７】
認証代行サーバ６１は、通信ユニット８１より受信された電話番号、ユーザ名、パスワードと、自身に予め登録されている端末情報とを比較して端末認証を行い、互いの情報が合致して登録端末であることが認証されると、携帯電話網６への接続を許可する。これにより、通信ユニット８１と携帯電話網６との間でＰＰＰセッション（コネクション）が確立される（Ｓ３０２）。
【００７８】
セッションが確立した後、Ｗｅｂカメラ８８のＣＰＵは、センタサーバ３１に対してＳＭＴＰサーバ接続を行い、メモリに記憶されていた画像ファイルを添付した電子メールを送信する（Ｓ３０３）。
【００７９】
センタサーバ３１では、ＣＰＵが、ＳＭＴＰサーバ機能により、Ｗｅｂカメラ８８を認証して、ＴＣＰポート：８０を利用してＨＴＴＰ通信を行い（Ｓ３０４）、Ｗｅｂカメラ８８より送信された電子メールを受信し、電子メールに添付されていた画像ファイルを抽出してデータベースに登録し（Ｓ３０５）、その画像ファイルを現地情報画面にアップする。
【００８０】
ＳＭＴＰサーバ接続後、通信ユニット８１は、ＨＴＴＰ通信が一定時間以上なくなると、携帯電話網６との間で確立されているＰＰＰセッションを開放（コネクションを切断）する（Ｓ３０６）。
【００８１】
クライアントシステム１のオペレータは、ＰＣ１１のブラウザソフトウェアでセンタサーバ３１へアクセスして現地情報画面を標示することで（Ｓ３０７）、常に更新された現地の画像をＷｅｂ閲覧することができ、標示器８９の標示内容を現地の状況に合わせるよう変更することができる。
【００８２】
次に、ＰＣ１１の操作に応じたセンタサーバ３１のコンテンツ（画面）の変化について説明する。ＰＣ１１よりセンタサーバ３１にアクセス要求を出すと、センタサーバ３１は、ログイン画面をＰＣ１１へ送信し、ＰＣ１１のブラウザソフトウェアの画面に、図９に示すように、ＩＤの入力欄とＰＷの入力欄とログインボタンが設けられたログイン画面９１が標示される。
【００８３】
ログイン画面９１のＩＤの入力欄とＰＷの入力欄にそれぞれユーザＩＤとパスワードを入力してログインボタンをクリック操作すると、これらのデータがセンタサーバ３１に送られて、センタサーバ３１においてＣＰＵによってユーザ認証処理が実行される。
【００８４】
ユーザ認証処理の結果、ＣＰＵによりユーザのログインが許可されると、センタサーバ３１より路線一覧画面がＰＣ１１へ送信されて、ＰＣ１１のブラウザソフトウェアの画面に、図１０に示すような路線一覧画面９２が標示される。この路線一覧画面９２には、管理団体が管理する道路の路線、例えば路線Ａ〜路線Ｃと、各路線内を区分するポイントＡ１〜Ａ４、ポイントＢ１〜Ｂ３、ポイントＣ１〜Ｃ３と、路線同士の合流点Ｓなどが示されている。
【００８５】
路線一覧画面９２の所望のポイントまたは路線をクリック操作すると、その位置にリンクされた路線図の画面がセンタサーバ３１よりＰＣ１１へ送信され、ＰＣ１１のブラウザソフトウェアの画面に、図１１に示すような路線詳細画面９３が標示される。
この路線詳細画面９３は、例えば路線Ａなどがクリック操作された場合に標示される画面であり、ポイントＡ１〜Ａ４間に配置されている☆印とその上の番号とで路線Ａにおける標示器８９の所在位置を示している。
【００８６】
この路線詳細画面９３の例えばＮｏ．０１など標識番号の☆印をクリック操作すると、その☆印にリンクされた現地情報画面がセンタサーバ３１よりＰＣ１１へ送信され、ＰＣ１１のブラウザソフトウェアの画面に、図１２に示すような現地情報画面９４が標示される。
この現地情報画面９４には、識別番号が例えばＮｏ．０１などの標示器８９が接続されている通信ユニット８１に接続されているＷｅｂカメラ８８より受信された映像９５、Ｎｏ．０１の標示器８９の現在の標示番号と標示内容、変更標示番号の入力欄９６とその標示番号に対する標示内容の標示欄９７、自由テキストの入力欄９８、送信ボタン９９、標示番号に対する標示内容のリスト１００が設けられている。つまり路線詳細画面９３は、所望の標示器８９とＣＨ．番号の指定を促す手段として機能する。
この路線詳細画面９３で、各入力欄に情報が入力されて変更または更新された場合、標示器８９の識別情報（Ｎｏ．０１）と標示番号（００１などのＣＨ．番号：標示データ識別情報）がセンタサーバ３１へ送信される。
自由テキストの入力欄は、リスト以外に標示させたいメッセージがあるときに、オペレータがキー入力するためのものである。
【００８７】
オペレータは、この現地情報画面９４を標示させることで、現在の現地の状況と標示器８９の標示内容が一目で分かり、また標示の変更も容易に行える。
【００８８】
このようにこの実施形態のＬＥＤ標識無線遠隔操作システムによれば、道路の管理団体のオペレーションセンタなどに配置されたクライアントシステムのＰＣ１１より、インターネット２を通じてセンタサーバ３１にアクセスし、ブラウザソフトウェアの画面に標示された路線詳細画面９３より所望の標示器８９を選択すれば、現地情報画面９４が標示されて、標示器８９が配置された現地の標示器８９の標示内容と現地の様子（状況）がひと目で確認でき、標示内容と現地の様子（状況）に違和感があれば、リストからＣＨ．番号を指定するだけで、標示内容を即座に変更し現地の様子（状況）に合わせることができる。
【００８９】
なお、本発明は上記実施形態のみに限定されるものではない。
上記実施形態では、ＰＣ１１からインターネット２を通じてセンタサーバ３１にアクセスする例について説明したが、この他、インターネット接続機能を有する携帯端末（携帯電話機、ＰＤＡなど）でも利用できるように、それぞれの携帯端末の画面やアクセス形態に合わせたＷｅｂコンテンツをセンタサーバ３１に用意することで、上記実施形態と同様の機能をモバイル形態で実現できる。
また、上記実施形態では、センタサーバ３１と携帯電話網６とをＩＰ−ＶＰＮ網５やＩＮＳ回線４を介して接続したが、秘匿性を保持して携帯電話網６へ接続できれば、他のネットワークを利用しても良く、ＩＰ−ＶＰＮ網５やＩＮＳ回線４は必須ではない。また、通信モジュール８３に所定の数のＬＡＮポートを用意できれば、ＬＡＮ接続機器の増設などがない場合、ハブ８４などは必須ではない。
また、上記実施形態では、通信ユニット８１に接続するいくつかの現地機器として、標示器８９、Ｗｅｂカメラ８８などを例示したが、この他、例えばマイク＆スピーカー、スピードセンサー、進入警報装置（ホーススイッチ）、温度計、風速計、重量計、トラフィックカウンター、ＧＰＳ受信機などの情報入出力装置も通信ユニット８１に接続可能であり、双方向通信を利用してさまざまな情報を現地より取得、または現地へ出力することができる。
さらに、上記実施形態では、現地機器８について、通信ユニット８１と標示器８９およびＷｅｂカメラ８８を別個のハードウェアとした一例を説明したが、これらの機器は、一体であってもよく、さらに細分化しても良い。
また、上記実施形態では、Ｗｅｂカメラ８８との通信を行うポートとして８０番を例示したが、本発明はこのポートのみに限定されるものでなく、他のポートを利用しても良い。
【００９０】
次に、図１３〜図１５を参照して上記実施形態の変形例（他の実施形態）について説明する。上記図１に示した実施形態の場合、現地機器８は、携帯電話網６と接続するための通信モジュール８３を必須構成としたが、現地に複数の現地機器８を設置しそれぞれの標示器８９に表示を行う場合、センタサーバ３１は、それぞれの現地機器８にダイアルアップして携帯電話網６との間にセッションを張る必要があり、通信コストがかさむ。
そこで、以下に示す変形例では、複数の現地機器８を設置する上で通信コストを削減する例について説明する。なお上記実施形態と同一の構成については同一の符号を付しその説明は省略する。
【００９１】
図１３に示すように、この変形例のＬＥＤ標識無線遠隔操作システムは、現地機器として、現地機器（親機）８ａと現地機器（子機）８ｂとを有している。
現地機器（親機）８ａは、無線ＬＡＮアクセスポイント７０およびメモリ８０などを有している。
【００９２】
無線ＬＡＮアクセスポイント７０は、ハブ８４の一つのＬＡＮポートにＬＡＮケーブル８６を介して接続されている。無線ＬＡＮアクセスポイント７０は、アンテナ７１を備えており、ＩＥＥＥ８０２．１Ｘに準拠して無線通信を行う。ＩＥＥＥ８０２．１Ｘとしては、例えばＩＥＥＥ８０２．１１ａ、ＩＥＥＥ８０２．１１ｂ、ＩＥＥＥ８０２．１１ｇなどがある。
【００９３】
無線ＬＡＮアクセスポイント７０は、携帯電話網６と通信モジュール８３との間でＰＰＰセッション（コネクション）を確立した場合に、現地機器（子機）８ｂの無線ＬＡＮクライアント７４と自身との間で無線ＬＡＮを構築し、センタサーバ３１との情報のやり取りを中継する。
アンテナ７１に無指向性アンテナを使用することで、無線ＬＡＮアクセスポイント７０は、例えばＩＥＥＥ８０２．１１ｂによる現地機器（子機）８ｂとの無線ＬＡＮ接続では、見通しの良い野外などにおいて例えば半径数百ｍ〜約１Ｋｍ程度の無線通信が可能である。またアンテナ７１に指向性アンテナを使用することで、無線ＬＡＮアクセスポイント７０は、直線距離で数百ｍ〜数Ｋｍ程度の無線通信が可能である。
【００９４】
現地機器（親機）８ａのＬＡＮ／ＲＳ４８５Ｃ８５には、ローカルのＩＰアドレスが設定されている。
メモリ８０は、通信モジュール８３内に備えられている。メモリ８０には、図１４に示すように、通信ユニット側のローカルのＩＰアドレスと無線側のＩＰアドレスとが対応付けられたアドレス変換テーブル８０ａが設定されている。
【００９５】
通信モジュール８３は、センタサーバ３１から受信されたＩＰパケットの宛先アドレスを、メモリ８０のアドレス変換テーブル８０ａを参照してアドレス変換しＩＰパケットをローカルの機器へ送信する。通信モジュール８３では、例えば無線側アドレス172.10.1.100から、通信ユニット側のＩＰアドレス192.168.1.ｘに変換される。
【００９６】
一方、センタサーバ３１のメモリには、図１５に示すように、通信モジュールの電話番号毎に無線側のＩＰアドレスである接続ＩＰアドレス、ポート、現地機器情報などが登録された機器管理テーブル３６が記憶されている。現地機器情報の欄には、それぞれのポートに接続された機器名と機器番号が対応して書き込まれている。
【００９７】
現地機器（子機）８ｂは、無線ＬＡＮクライアント７４およびＬＡＮ／ＲＳ４８５Ｃ８５からなる通信ユニット７３と、この通信ユニット７３にシリアルケーブル８７を介して接続された標示器８９とを備えている。無線ＬＡＮクライアント７４は、アンテナ７２を有している。ＬＡＮ／ＲＳ４８５Ｃ８５には、ローカルのＩＰアドレスが設定されている。なおこの例では、通信ユニット７３に標示器８９のみが接続されているが、図１の例と同様にＷｅｂカメラ８８などの機器を接続しても良い。
【００９８】
無線ＬＡＮクライアント７４は、携帯電話網６とＰＰＰセッション（コネクション）を確立した無線ＬＡＮアクセスポイント７０を備える他の現地機器（親機）８ａとの間で無線ＬＡＮを構築し、無線ＬＡＮアクセスポイント７０を通じてセンタサーバ３１と情報のやり取りを行う。
このように現地機器（親機）８ａと現地機器（子機）８ｂとの間で無線ＬＡＮを構築することで、ハブ接続の場合に比べてハードウェアとしてのポート数に制限がないため、一台の現地機器（親機）８ａに対して多数の現地機器（子機）８ｂが接続可能である。
【００９９】
この変形例のＬＥＤ標識無線遠隔操作システムでは、例えばＰＣ１１から認証処理を経てセンタサーバ３１にアクセスし、所望の標示器８９、例えば現地機器８ｂの標示器８９に「走行注意」と表示させる場合、図１０に示す路線一覧画面、図１１に示す路線図Ａとたどり、所望のＮｏを選択操作すると、図１２に示すように、選択したＮｏの標示器の現地情報画面９４が表示される。
【０１００】
ここで、現在標示Ｎｏの欄に所望の表示内容のＣＨ．番号として例えば「012」を入力すると、標示内容として、「走行注意」が表示されるので、この標示で正しい場合、オペレータは、送信ボタン９９を選択操作する。
【０１０１】
すると、センタサーバ３１のＣＰＵは、選択されたＮｏの標示器が接続されている通信モジュールの電話番号をメモリより読み出して、携帯電話網６へダイアルアップを行う。
これにより、携帯電話網６と該当通信ユニット８１との間でＰＰＰセッション（コネクション）が確立される。
【０１０２】
コネクションが確立されると、センタサーバ３１のＣＰＵは、ＰＣ１１より指定されたＣＨ．番号にてＬＥＤ標示を制御するため、メモリの機器管理テーブル３６を参照して宛先の接続ＩＰアドレスおよびポートなどを読み出して、指示された情報をＩＰパケットにして、ＰｒｉｖａｔＰｏｒｔ：ＸＸＸＸＸを利用したＴＣＰソケット通信により通信ユニット８１に送る。
通信ユニット８１は、ＩＰパケットを受信すると、メモリ８０のアドレス変換テーブル８０ａを参照して受信パケットのＩＰアドレスを通信ユニット側のアドレスに変換してＬＥＤ標示制御のためのＩＰパケットをＬＡＮ／ＲＳ４８５Ｃ８５へ送る。
【０１０３】
ＬＡＮ／ＲＳ４８５Ｃ８５は、受け取ったＩＰパケットを無線ＬＡＮアクセスポイント７０を通じて現地機器（子機）８ｂへ無線通信する。
現地機器（子機）８ｂでは、無線ＬＡＮクライアント７４がＩＰパケットを受信すると、ＬＡＮ／ＲＳ４８５Ｃ８５へ渡す。
ＬＡＮ／ＲＳ４８５Ｃ８５は、渡されたＩＰパケットが、自身を宛先としたＩＰアドレスを持つＩＰパケットであった場合、ＩＰパケットからＬＥＤ標示コマンドを抽出して標示器８９へシリアル出力する。
【０１０４】
標示器８９では、ＬＥＤ標示コマンドが通信Ｉ／Ｆ２１により受信されると、制御部２２が、ＬＥＤ標示コマンドに含まれていたＣＨ．番号をキーにして、メモリ２３より該当標示データを読み出して標示メモリ２４へ出力し、標示メモリ２４から順にＬＥＤ標示出力部２５を通じてＬＥＤ標示部２６へ出力され、ＬＥＤ標示部２６により標示データの「走行注意」が標示される。
【０１０５】
このようにこの変形例のＬＥＤ標識無線遠隔操作システムによれば、道路上の所望の位置に複数の現地機器８を設置して現場に適した標示を行う上で、現地機器の中の少なくとも一台を、無線ＬＡＮアクセスポイント７０を搭載した現地機器（親機）８ａとし、この親機８ａに対して無線ＬＡＮ接続する無線ＬＡＮクライアント７４を搭載した現地機器（子機）８ｂを現地に複数配置することで、一台の親機８ａが携帯電話網６とコネクションを張るだけで、その親機８ａの配下の多数の子機８ｂへ情報を無線伝送可能になり、現地機器台数分のコネクションを張るよりも通信コストを大幅に削減することができる。
【０１０６】
現地機器（親機）８ａと現地機器（子機）８ｂとを無線ＬＡＮで接続する例が最良の形態ではあるものの、秘匿性を保持する無線接続環境が構築できれば、他の無線ネットワークを利用しても良く、例えばＷｉＭＡＸ（Ｗｏｒｌｄｗｉｄｅ ｉｎｔｅｒｏｐｅｒａｂｉｌｉｔｙ Ｍｉｃｒｏｗａｖｅ Ａｃｃｅｓｓなどを利用してもよく、通信距離では無線ＬＡＮに及ばないものの、例えばブルートゥースなどを用いてもよい。
【図面の簡単な説明】
【０１０７】
【図１】本発明の一つの実施形態のＬＥＤ標識無線遠隔操作システムの構成を示す図。
【図２】図１のＬＥＤ標識無線遠隔操作システムの標示器の構成を示す図。
【図３】標示器のメモリに記憶されている標示コンテンツデータを示す図。
【図４】標示器のメモリに記憶されている標示順テーブルを示す図。
【図５】標示器のメモリに設定される割り込み標示フラグの一例を示す図。
【図６】このＬＥＤ標識無線遠隔操作システムのＬＥＤ標示制御動作を示す通信シーケンス図。
【図７】このＬＥＤ標識無線遠隔操作システムのＷｅｂカメラ制御動作を示す通信シーケンス図。
【図８】このＬＥＤ標識無線遠隔操作システムの画像ファイル定期送信動作を示す通信シーケンス図。
【図９】クライアントシステムに提供されるログイン画面を示す図。
【図１０】クライアントシステムに提供される路線一覧画面を示す図。
【図１１】クライアントシステムに提供される路線詳細画面を示す図。
【図１２】クライアントシステムに提供される現地情報画面を示す図。
【図１３】変形例のＬＥＤ標識無線遠隔操作システムの構成を示す図。
【図１４】通信ユニットのメモリに記憶されているアドレス変換テーブルを示す図。
【図１５】センタサーバのメモリに記憶されている機器管理テーブルを示す図。
【符号の説明】
【０１０８】
１…クライアントシステム
２…インターネット
３…センタシステム
４…ＩＮＳ回線
５…ＩＰ−ＶＰＮ網
６…携帯電話網
８…現地機器
１１…ＰＣ
１２…ルータ
２１…通信インタフェース（通信Ｉ／Ｆ）
２２…制御部
２３…メモリ
２４…標示メモリ
２５…ＬＥＤ標示出力部
２６…ＬＥＤ標示部
３１…サーバコンピュータ（センタサーバ）
３２…ファイヤーウォール装置（Ｆ／Ｗ）
３３，３４…ルータ
３６…機器管理テーブル
４３…標示順テーブル
４５…割り込み標示フラグ
６１…認証代行サーバ
６２…ＩＰ中継装置
６３…無線基地局
８０…メモリ
８０ａ…アドレス変換テーブル
８１…通信ユニット
８２…アンテナ
８３…通信モジュール
８４…ハブ
８５…ＬＡＮ／ＲＳ４８５変換アダプタ（ＬＡＮ／ＲＳ４８５Ｃ）
８６…ＬＡＮケーブル
８７…シリアルケーブル
８８…Ｗｅｂカメラ
８９…標示器
９１…ログイン画面
９２…路線一覧画面
９３…路線詳細画面
９４…現地情報画面
【図１】
2006285948.tif 000003
【図２】
2006285948.tif 000004
【図３】
2006285948.tif 000005
【図４】
2006285948.tif 000006
【図５】
2006285948.tif 000007
【図６】
2006285948.tif 000008
【図７】
2006285948.tif 000009
【図８】
2006285948.tif 000010
【図９】
2006285948.tif 000011
【図１０】
2006285948.tif 000012
【図１１】
2006285948.tif 000013
【図１２】
2006285948.tif 000014
【図１３】
2006285948.tif 000015
【図１４】
2006285948.tif 000016
【図１５】
2006285948.tif 000017